(57)【特許請求の範囲】
【請求項１】
検査光を検査対象物に照射する光源と、
前記検査対象物を透過した透過光および散乱光を受光して画像データを生成する受像器と、
前記光源と前記検査対象物との間の光路上に配置され、前記検査光を直線偏光させる第１の偏光子と、
前記検査対象物と前記受像器との間の光路上に配置され、前記透過光を直線偏光させる第２の偏光子と、
前記第１の偏光子の透過軸と前記第２の偏光子の透過軸とのなす相対角を変更可能な偏光方向制御手段と、を備え、
前記受像器を用いて相対角が小さい第１画像と相対角が大きい第２画像とを撮像すると共に、当該第１画像および第２画像を用いて前記検査対象物の内部構造を可視化して、検査対象物中に存在する検知対象を表示した画像を得る画像生成装置であって、
前記第２画像のコントラストを増大、および／または前記第１画像のコントラストを低下させる濃度調整を行う濃度調整手段を有することを特徴とする画像生成装置。
【請求項２】
検査光を検査対象物に照射する光源と、
前記検査対象物を透過した透過光および散乱光を受光して画像データを生成する受像器と、
前記光源と前記検査対象物との間の光路上に配置され、前記検査光を円偏光に変換する第１の偏光子と、
前記検査対象物と前記受像器との間の光路上に配置され、円偏光を直線偏光に変換して透過させる第２の偏光子と、
前記第１の偏光子が変換する円偏光の回転方向、または前記第２の偏光子が透過させる円偏光の回転方向が切り替え可能な偏光方向制御手段と、を備え、
前記受像器を用いて前記第１の偏光子が変換する円偏光の回転方向と前記第２の偏光子が透過させる円偏光の回転方向とが同一方向となる第１画像と逆方向となる第２画像とを撮像すると共に、当該第１画像および第２画像を用いて前記検査対象物の内部構造を可視化して、検査対象物中に存在する検知対象を表示した画像を得る画像生成装置であって、
前記第２画像のコントラストを増大、および／または前記第１画像のコントラストを低下させる濃度調整を行う濃度調整手段を有することを特徴とする画像生成装置。
【請求項３】
前記濃度調整手段による濃度調整が行われた第１画像と第２画像との差分画像を生成する画像処理手段を有する、請求項１または２に記載の画像生成装置。
【発明の詳細な説明】
【技術分野】
【０００１】
本発明は、食品や工業製品等の検査対象物に光を照射し、検査対象物の内部を撮像した画像を用いて内部構造を可視化して、検査対象物中の内部情報を表示した画像を得る画像生成装置に関する。
【背景技術】
【０００２】
物体の内部または裏側にある構造、欠陥または異物などの検知対象を非破壊・非接触で検知するために、物体に光を照射して透過光の陰影に含まれる情報を利用する方法が採られる。その際、陰影にノイズとして現れる物体の不均一性や、構造、模様などの光学的不均一性に基づく情報を低減してSN比を向上させる工夫が種々なされている。
【０００３】
例えば、特許文献１には、検査対象物を撮影し、画像処理することで異物を判別する異物検査方法において、検査対象物に赤外光を照射する第１のステップと、該検査対象物を透過した光のうち、赤外光のみを抽出する第２のステップと、該抽出された赤外光を撮影する第３のステップと、を有することを特徴とする異物検査方法が開示されている。
【０００４】
この方法によれば、印刷を施された検査対象物において、混入した異物を高精度に判別すること、印刷部の画像処理を行うことなく高速に異物検査を行うことができる。
【０００５】
また、食品中の異物を検査する装置として、特許文献２には、近赤外領域において中心波長を有する第１検査光と、近赤外領域において前記第１検査光とは別の中心波長を有する第２検査光とを検査対象である食品に照射する面光源と、前記第１検査光および第２検査光が食品を透過した光によって当該食品を撮像し、前記第１検査光に基づいて撮像された第１画像および第２検査光に基づいて撮像された第２画像を出力する撮像機構と、第１画像および前記第２画像の差分画像を生成する差分画像生成部とを備えた検査装置が開示されている。
【０００６】
また、特許文献３には、植物または植物加工品に混在する異物の検出を非破壊にて精度よく行う方法として、植物または植物加工品を撮像して得られたハイパースペクトル画像に基づいて、該検査対象物中に混在する異物を検出する植物または植物加工品の異物検出方法であって、検査対象物に対して近赤外領域の測定光を照射する照射ステップと、照射ステップにおいて照射された光による検査対象物からの散乱光を受光することで、検査対象物を撮像してハイパースペクトル画像を得る撮像ステップと、撮像ステップにおいて得られたハイパースペクトル画像に含まれて互いに異なる２つの画素間でのスペクトル形状に基づいて、検査対象物に混在する異物を検出する分析ステップと、を備える方法が開示されている。
【先行技術文献】
【特許文献】
【０００７】
【特許文献１】特開2005-351678号公報
【特許文献２】特開2014-44070号公報
【特許文献３】特開2013-164338号公報
【発明の概要】
【発明が解決しようとする課題】
【０００８】
上述の特許文献１に記載の検査方法では、照射する赤外光の波長域で、インクに吸収や反射がないことを前提として、印刷された模様等によるノイズを消去して異物のみが写った画像を生成し、異物の判定を行う。したがって、該波長域で吸収や反射があるインクを使用した場合や、検知対象である異物に該波長域での吸収や反射がない場合には、発明の効果を奏し得ない。
【０００９】
また、特許文献２および３で検査対象とする食品、植物または植物加工品等は、光学的に均質ではなく、凹凸もあるため、撮像された画像には、検査対象物と異物の光学的な差異とともに、検査対象物の光学的不均質性や凹凸の影響がノイズとして現れる。
【００１０】
すなわち、特許文献２に記載の装置および特許文献３に記載の方法は、いずれも検査対象物と異物の吸収波長の差異を検出することによってノイズの影響を除去して、検査対象物と異物とを判別するものである。
【００１１】
しかし、検査対象物と異物とで吸収波長に明確な差異がない場合には、十分にノイズを除去することができない。
【００１２】
本発明は上述の問題点に鑑みて成されたもので、模様等のノイズの原因が検査波長で吸収や反射がある場合や、検査対象物と検知対象の検査波長の変化に対する吸光度または透過度の変化率の差異が明確でない場合でも、検査対象物の光学的不均一性等に起因するノイズを低減して、異物等の検知対象を鮮明に表示した画像を生成できる画像生成装置を提供することを目的とする。
【課題を解決するための手段】
【００１３】
上記目的を達成するために、本発明にかかる画像生成装置は、
検査光を検査対象物に照射する光源と、
前記検査対象物を透過した透過光および散乱光を受光して画像データを生成する受像器と、
前記光源と前記検査対象物との間の光路上に配置され、前記検査光を直線偏光させる第１の偏光子と、
前記検査対象物と前記受像器との間の光路上に配置され、前記透過光を直線偏光させる第２の偏光子と、
前記第１の偏光子の透過軸と前記第２の偏光子の透過軸とのなす相対角を変更可能な偏光方向制御手段と、を備え、
前記受像器を用いて相対角が小さい第１画像と相対角が大きい第２画像とを撮像すると共に、当該第１画像および第２画像を用いて前記検査対象物の内部構造を可視化して、検査対象物中に存在する検知対象を表示した画像を得る画像生成装置であって、
前記第２画像のコントラストを増大、および／または前記第１画像のコントラストを低下させる濃度調整を行う濃度調整手段を有することを特徴とする。
【００１４】
もしくは本発明にかかる画像生成装置は、
検査光を検査対象物に照射する光源と、
前記検査対象物を透過した透過光および散乱光を受光して画像データを生成する受像器と、
前記光源と前記検査対象物との間の光路上に配置され、前記検査光を円偏光に変換する第１の偏光子と、
前記検査対象物と前記受像器との間の光路上に配置され、円偏光を直線偏光に変換して透過させる第２の偏光子と、
前記第１の偏光子が変換する円偏光の回転方向、または前記第２の偏光子が透過させる円偏光の回転方向が切り替え可能な偏光方向制御手段と、を備え、
前記受像器を用いて前記第１の偏光子が変換する円偏光の回転方向と前記第２の偏光子が透過させる円偏光の回転方向とが同一方向となる第１画像と逆方向となる第２画像とを撮像すると共に、当該第１画像および第２画像を用いて前記検査対象物の内部構造を可視化して、検査対象物中に存在する検知対象を表示した画像を得る画像生成装置であって、
前記第２画像のコントラストを増大、および／または前記第１画像のコントラストを低下させる濃度調整を行う濃度調整手段を有することを特徴とする。
【００１５】
本発明にかかる画像生成装置は、前記濃度調整手段による濃度調整が行われた第１画像と第２画像との差分画像を生成する画像処理手段を有することが好ましい。
【発明の効果】
【００１７】
本発明にかかる画像生成装置では、第１画像に異物等の検知対象の影と検査対象物の光学的不均一性によるノイズが比較的鮮明に写る。一方、第２画像には、検知対象の影と検査対象物の光学的不均一性によるノイズは見た目には不鮮明であるが、第1画像に含まれるノイズと同じ原因によるノイズ成分（以下「共通ノイズ」という。）が含まれていると考えられる。
【００１８】
従って、第２画像の濃度値を利用すれば、第１画像から共通ノイズをキャンセルして、ノイズを低減した画像が得られる。
【００１９】
さらに、第２画像の濃度コントラストを増大、および／または第１画像のコントラストを低下させる濃度調整を行うことで、第１画像と第２画像に含まれる共通ノイズによる濃度の変化率を近似させることができる。
【００２０】
よって、濃度調整後に第１画像と第２画像の差分を取れば、第１画像に含まれる共通ノイズをキャンセルでき、検知対象とノイズ成分を判別しやすい差分画像データを生成できる。そしてノイズ成分を消去または低減した画像データには検知対象だけが鮮明に表れる。
【図面の簡単な説明】
【００２１】
【図１】本発明の実施の形態１にかかる画像生成装置の基本構成を示す図である。
【図２】実施の形態１にかかる画像生成装置の制御系の構成を示すブロック図である。
【図３】濃度調整とノイズ低減処理の形態を説明する図（その１）である。
【図４】濃度調整とノイズ低減処理の形態を説明する図（その２）である。
【図５】濃度調整とノイズ低減処理の形態を説明する図（その３）である。
【図６】濃度調整とノイズ低減処理の形態を説明する図（その４）である。
【図７】濃度調整とノイズ低減処理の形態を説明する図（その５）である。
【図８】実施の形態１における異物検査の処理の流れを示したフローチャートである。
【図９】実験例１の結果を示す図面代用写真である。
【図１０】実験例２の結果を示す図面代用写真（その１）である。
【図１１】実験例２の結果を示す図面代用写真（その２）である。
【図１２】比較例１の結果を示す図面代用写真である。
【図１３】実験例３の結果を示す図面代用写真である。
【図１４】実験例４の結果を示す図面代用写真である。
【図１５】実験例５の結果を示す図面代用写真である。
【図１６】実験例６の結果を示す図面代用写真である。
【図１７】実験例７の結果を示す図面代用写真である。
【図１８】実験例８の結果を示す図面代用写真である。
【図１９】実験例９の結果を示す図面代用写真である。
【図２０】実験例１０の結果を示す図面代用写真である。
【図２１】実験例１１の結果を示す図面代用写真である。
【図２２】実験例１２の結果を示す図面代用写真である。
【図２３】実験例１３の結果を示す図面代用写真である。
【図２４】本発明の実施の形態２にかかる画像生成装置の基本構成を示す図である。
【図２５】実験例１４の結果を示す図面代用写真（その１）である。
【図２６】実験例１４の結果を示す図面代用写真（その２）である。
【図２７】比較例２の結果を示す図面代用写真である。
【図２８】本発明の実施の形態３における実験例１５の結果を示す図面代用写真である。
【発明を実施するための形態】
【００２２】
以下、本発明の実施の形態にかかる画像生成装置について、図面を参照して説明する。本発明の実施の形態にかかる画像生成装置は、主として食品や工業製品の内部構造の検査に用いられる。
【００２３】
＜実施の形態１＞
図１に、本発明の実施の形態１にかかる画像生成装置１００の基本的な構成を示す。また図２に、画像生成装置１００の制御系の構成を示す。
【００２４】
（画像生成装置の構成と機能）
画像生成装置１００は、光源１、受像器２、透明板３、第１および第２の偏光子４、５、リニアモータ６、レール７ならびにコントローラ８（図２参照）で構成されている。
【００２５】
光源１は、検査光を検査対象物に照射する。検査対象物を透過しやすい波長帯域を含むものであれば、白熱灯やハロゲンランプなどの光源を用いても良い。本実施の形態では、基板上にLED（発光ダイオード）を多数配置したLEDパネルを光源１として用いている。
【００２６】
光源１は、透明板３上に載置された検査対象物に光を照射する向きに配置されている。光源１の波長は、検査対象物を透過しやすい波長であれば良く、検査対象物の種類や厚さによって波長200nmの近紫外光から1800nmの近赤外光の範囲で適宜選択できる。好ましくは、380nmの可視光から1100nmの近赤外光の範囲であれば、光が検査対象物を透過しやすい。また、この領域では、一般的なCCDセンサーやCMOSセンサーのSi系撮像素子の波長範囲内であることから、容易にシステムを構築できる。
【００２７】
さらに好ましくは600nm〜1100nmである。この領域では、観測される吸収バンドが非常に弱いことで透過性に優れる。また600nm以上では、比較的散乱の影響を受けにくくなる。特に、農産物やその加工品、その他食品等を検査対象物とする場合には、水の吸収が小さい600nmから900nmの近赤外光を選択することが好ましい。
【００２８】
受像器２は、光源１から照射され、透明板３上に載置された検査対象物を透過した光を受光する向きに配置され、検査対象物に焦点が合うように前部円筒部にレンズが取り付けられている。受像器２としては、CCD、CMOSなどのイメージセンサを搭載したデジタルカメラを使用でき、光源１の波長領域で好感度であることが好ましい。画素数は、検査対象物と異物の大きさや検査の目的に応じて選択できる。分解能は、256階調（８ビット）以上であることが好ましい。
【００２９】
光源１と透明板３との間には、第１の偏光子４が光源１および透明板３と平行に配置されており、光源１から照射された光を、図中ｙ方向に偏光させる（すなわち透過軸がｙ方向）。図中、偏光子の縞模様は偏光方向を理解しやすくするために付けたもので、実際には肉眼で目視できない。
【００３０】
偏光子には、ガラス板や熱可塑性樹脂フィルム等の基材に偏光フィルムを貼った偏光板、同様の基材に二色性染料等を塗布した偏光板等の公知の偏光光学素子を用いることができる。なお、光源１が近赤外光である場合には、可視光用の偏光フィルムでは十分な偏光性能が得られないため、ワイヤグリッド方式の偏光フィルム（例えば、旭化成イーマテリアルズ製WGF（商標））を使用することが好ましい。
【００３１】
さらに、透明板３と受像器２の間には、第２の偏光子５が光源１、透明板３および第１の偏光子４と平行に配置されている。第２の偏光子５は、測定対象を透過した光を図中のｙ方向に偏光させるｙ方向偏光部５１と、ｘ方向に偏光させるｘ方向偏光部５２が隣接して配置されたもので、フレーム５３で一体化されている。
【００３２】
ｙ方向偏光部５１とｘ方向偏光部５２は、第１の偏光子４と同様にガラス板や熱可塑性樹脂フィルムなどに偏光膜を貼った偏光板や、ガラス板や熱可塑性樹脂フィルムなどに二色性染料などを塗布した偏光板、ワイヤグリッド方式の偏光板等の公知の偏光光学素子を用いることができ、第１の偏光子４と同一の偏光特性を有することが好ましい。
【００３３】
リニアモータ６とレール７は偏光方向制御手段を構成しており、第２の偏光子５は、当該偏光方向制御手段により、ｙ方向偏光部５１を透過した光を受像器２が受光できる位置（以降、「平行位置」という）と、ｘ方向偏光部５２を透過した光を受像器２が受光できる位置（以降、「直交位置」という）との間で移動できるようになっている。
【００３４】
すなわち、フレーム５３はリニアモータ６に結合されており、リニアモータ６は、コントローラ８の偏光子駆動部８２（図２参照）からの命令により、レール７に沿って、矢印で示す方向に往復運動できる。往復運動の範囲は、一端が平行位置であり、他端が直交位置である。
【００３５】
従って、リニアモータ６を駆動して第２の偏光子５を右側に位置させたときは、受像器２は、第２の偏光子５のｙ方向偏光部５１を透過した偏光を受光することとなり、第１の偏光子４の透過軸と第２の偏光子の透過軸とのなす相対角が０°となる。
【００３６】
一方、第２の偏光子５を左側に位置させたときは、受像器２は、第２の偏光子５のｘ方向偏光部５２を透過した偏光を受光することとなり、第１の偏光子４の透過軸と第２の偏光子の透過軸とのなす相対角が９０°となる。
【００３７】
従って、受像器２は、同一の検査対象物について、第１の偏光子４の透過軸と第２の偏光子５の透過軸とのなす相対角が小さいとき（０°）と大きいとき（９０°）の透過光および散乱光を受光して撮像できる。リニアモータ６の動作および受像器２が２種類の画像を撮像するタイミングの制御には、後述するコントローラ８（図２参照）を用いる。
【００３８】
以後の説明では、第１の偏光子４の透過軸と第２の偏光子５の透過軸とのなす相対角が小さいときに受像器２によって撮像された画像を「平行画像」、相対角が大きいときに撮像された画像を「直交画像」という。
【００３９】
図１に示す画像生成装置１００は、外光の影響を防ぐために、コントローラ８を除いて筐体（図示せず）で遮光することが好ましい。また、筐体の内面、並びにリニアモータ６およびレール７の表面には、光の反射を防ぐ塗料などで塗装すれば、反射光が撮像に与える影響を防ぎやすい。
【００４０】
また光源１、受像器２、第１の偏光子４、透明板３およびレール７は、直接的に、または取り付け部品を用いた間接的な方法より筐体に固定されている。
【００４１】
次に、コントローラ８について説明する。コントローラ８は、リニアモータ６および受像器２の動作を制御すると共に、受像器２で撮像した画像データを処理するものである。図２に示すように、コントローラ８は、主制御部８１、偏光子駆動部８２、受像器制御部８３、画像データ記憶部８４および画像処理部８５で構成されている。
【００４２】
主制御部８１は、産業用コンピュータやプログラマブルコントローラなどの既知のコントローラで構成され、装置全体をシーケンス制御する。
【００４３】
偏光子駆動部８２は、主制御部８１からの指令により、リニアモータ６を設定された速度で右方向または左方向に移動させる。位置決めは、例えば、リニアモータ６が所定の停止位置にあるときにオンとなるリミットスイッチ（図示せず）をレール７に取り付け、偏光子駆動部８２がリミットスイッチの信号を検知したときにリニアモータ６を停止させる。
【００４４】
受像器制御部８３は、主制御部８１からの指令により、受像器２の撮像タイミングを制御し、撮像された画像データを受像器２から取得し、さらに画像データ記憶部８４に格納する。画像データ記憶部８４は、さらに、濃度調整後の画像データ、差分画像データおよびノイズ成分を閾値で消去した画像データを格納する領域を有する。
【００４５】
画像データ記憶部８４に格納された画像データは、画像処理手段８５での画像処理演算に供される。画像処理手段を構成する画像処理部８５は、濃度調整部８６、差分演算部８７およびノイズ消去部８８を有する。
【００４６】
濃度調整部８６は、受像器２により撮像され、画像データ記憶部８４に格納された直交画像を読み出して、線形濃度変換を行う。変換に必要な定数は、あらかじめ実験によって適切な値が決められている。差分演算部８７は、濃度調整部８６で濃度変換された直交画像と平行画像との差分画像を生成する。
【００４７】
ノイズ消去部８８は、差分画像に濃度閾値を適用して異物とノイズを切り分け、異物が鮮明に写った画像データを生成する。さらに、収縮、膨張、または、これらを組み合わせたモルフォロジー変換や平滑化処理等の既知のノイズ処理を必要に応じて追加しても良い。
【００４８】
ノイズ消去部８８で生成された画像をモニタに出力すれば、ノイズが低減し、異物が鮮明に写った画像を検査員が目視することができるため、容易に異物の有無と、異物が存在する場合は、その位置を確認することができる。
【００４９】
（可視化画像生成の原理）
次に、上述の画像生成装置１００において検査対象物の内部構造を可視化した画像を生成する原理について説明する。最初に、撮像された平行画像と直交画像の特徴について説明する。
【００５０】
平行画像では、第１の偏光子４の透過軸（測定対象に入射する偏光方向）と第２の偏光子５の透過軸が同一方向であるため、検査対象物に入射した光のうち、散乱による偏光の乱れがない光の成分を多く含む。すなわち、検査対象物に入射した偏光は、検査対象物の内部構造によって散乱し偏光が乱れるが、一部の入射光は散乱することなく検査対象物を透過する。
【００５１】
従って、第１の偏光子４と第２の偏光子５の透過軸を平行にすれば、偏光が乱れた散乱光の一部を第２の偏光子５で遮断できるため、受像器２に到達する光は、散乱せずに透過した光を多くの割合で受光することができる。散乱せずに透過した光は、異物の影や、検査対象物内部の光学的不均一性に起因するノイズなどの内部情報が多く含まれるため、平行画像はこれらの形状や大きさが鮮明な画像となる。
【００５２】
ここで、光学的不均一性とは、果皮と果実などの生体組織の光学的な差異、混合物の各成分の光学的差異などのことであり、光の反射や吸収に差異があることにより、撮像した平行画像に濃度むらを生じさせる原因となるものをいう。なお、本発明においては、検査対象となる工業製品や、その包装等に印刷された模様も光学的不均一性に含まれる。
【００５３】
一方、直交画像では、第２の偏光子５の透過軸を散乱せずに透過する光を遮断する方向にしているので、散乱光の割合が多い画像が得られる。直交画像には、異物の影やノイズによる細かい影がほとんど写らないか、または不鮮明な画像となる。
【００５４】
このように、見た目に異なる平行画像と直交画像ではあるが、両画像には、同じ原因によるノイズが含まれるものと推測される。また、検査対象物の厚さは、両画像のノイズに同じ傾向の影響を与えるものと推測される。これは、後述する濃度調整と、平行画像と直交画像との差分を算出した後、差分画像の濃度値に閾値を設けてノイズをキャンセルすると、同一設定で検査対象物の厚さによらず、ノイズを低減した異物の鮮明な画像が得られる実験からの帰結である。
【００５５】
上述したように、検査対象物の厚さの影響を受けるノイズは、平行画像と直交画像のいずれにも表れるが、直交画像では、その濃度変化率（コントラスト）は小さい。本発明にかかる画像生成装置は、平行画像から厚さの影響を受けるノイズを取り除くための前処理として濃度調整を行っており、具体的には、直交画像のコントラストを増加させるか、平行画像のコントラストを低下させている。
【００５６】
直交画像のコントラストを増加させる方法としては、例えば、直交画像の各画素の濃度値に１より大きな定数を乗算して、濃度変化率を増加させても良いが、直交画像全体の濃度の平均値が併せて増加するので、平均値を別にコントロールできる線形濃度変換等を使用することが好ましい。
【００５７】
上述した濃度調整は直交画像に対して行うが、平行画像と直交画像に含まれる検査対象物の厚さの影響を受けるノイズの濃度変化率を両画像で近似させる濃度調整であればよく、平行画像に対してコントラストを低下させる濃度調整を行っても良い。また、平行画像と直交画像の両方を濃度調整してもよい。
【００５８】
濃度調整が終了した平行画像と直交画像の差分画像を生成すれば、検査対象物の厚さの影響を受けるノイズをキャンセルできるので、差分画像の濃度に閾値を設けて異物とノイズを区別しやすい。
【００５９】
ここで、差分画像とは、平行画像（または直交画像）の各画素の濃度値から直交画像（または平行画像）の対応する画素の濃度値を引いた値を対応する画素の濃度値として持つ画像である。
【００６０】
なお、画像の濃度値の型は、通常符号なし整数型であるが、差分を取ると、濃度値が負の値となり、演算でエラーが生じたり、求める結果が得られない場合がある。この場合、処理プログラムで変数を符号付整数型や浮動小数点型に型変換すれば、エラーを生じずに求める演算結果を得ることができる。演算結果を画像データとして保存するには、例えば、負の値を有する演算結果について、濃度値の最低値が０以上となる定数を全画素の濃度値に加えるなどして、再度符号なし整数型に変換する。
【００６１】
異物のみの鮮明な画像を生成するためには、差分画像について、あらかじめ適切に定めた閾値より高い（または低い）濃度値の画素のみを、例えば濃度値255（白色）に置き換え、その他の画素を０(黒色）に置き換えれば、異物のみが鮮明な2値化画像が得られる。
【００６２】
濃度調整や閾値は、検査対象物や異物の種類および光源の波長等の条件によって異なるため、実験により適切な値を求めて設定すれば、一定条件下で、厚さに変化がある検査対象物から異物を検出するための鮮明な画像が得られる。
【００６３】
さらに、適切に濃度調整された直交画像の濃度値をそのまま閾値とし、平行画像の濃度値が直交画像の濃度値より高い画素の濃度値を０とし、低い画素の濃度値を255とする処理を行っても、異物のみの鮮明な画像が得られる。
【００６４】
上述した濃度調整とノイズ低減処理について、図面を用いて具体的に説明する。濃度調整とノイズ低減処理には４種類の形態がある。ただし、これらの形態に限られるわけではない。
【００６５】
濃度調整とノイズ低減処理の第１の形態について、図３を用いて説明する。図３（ａ）は、受像器で撮像された平行画像と直交画像の任意の１行（横方向）の画素の濃度値を表したグラフ（生波形）である。図中、縦軸は濃度値、横軸は画素の座標を表す。なお、グラフに表した画素の縦方向の座標は、平行画像と直交画像で同一とする。図中、実線が平行画像、破線が直交画像の濃度値を表す。また、丸印は、異物の影響により平行画像の濃度値が落ち込んだ部分を示す。
【００６６】
平行画像の濃度値には、異物の影響の他に、検査対象物の光学的不均一性に基づく細かなノイズが表れているが、直交画像の濃度値にはほとんど表れない。一方、両画像には、周期が比較的大きく位相が一致するノイズが表れている。
【００６７】
平行画像の生波形中にある２つの異物の影響は、前記した周期の大きなノイズのため、その濃度レベルが異なり、異物と細かなノイズを分離する閾値を設定することは困難である。そこで本発明では、同様に大きな周期のノイズを有する直交画像の濃度値に基づいて閾値を決定することで、２つの異物と細かなノイズを分離できるようにしている。
【００６８】
図３（ｂ）は、直交画像の濃度値に１以上の定数を乗算して濃度調整を行ったときの濃度値を表したグラフである。なお、平行画像の濃度値は、図３（ａ）と同一である。直交画像の濃度値は１以上の濃度値を乗算したことにより、周期の大きなノイズの振幅が、平行画像と同程度に増幅されている。
【００６９】
濃度調整後の直交画像と平行画像の濃度値の差分を取った結果を、図３（ｃ）と（ｄ）に示す。図３（ｃ）は、平行画像の濃度値から直交画像の濃度値を引いた差分結果、図３（ｄ）は、逆に直交画像の濃度値から平行画像の濃度値を引いた差分結果である。図中、破線で一定値の閾値を示している。差分を取ったことにより、２つの異物の影響による濃度の落ち込みが同レベルになり、１つの閾値で細かなノイズと異物を分離できることが分かる。
【００７０】
図３（ｃ）および（ｄ）の波形を閾値で2値化すると、図４（ａ）および（ｂ）に示す2値化画像が得られ、ノイズを消去し、異物のみが鮮明になった画像となる。
【００７１】
次に、濃度調整に線形濃度変換を用いた第２の形態について、図５を用いて説明する。図５（ａ）は、図３（ａ）に示した波形と同一の生波形である。直交画像の濃度調整に線形濃度変換を用いた結果が図５（ｂ）である。線形濃度変換では、定数を乗算する方法とは異なり、ノイズの振幅を増加させつつ、その平均値を独立に制御できる。よって、図５（ｂ）に示すように、直交画像の濃度値より低い濃度に平行画像中の細かいノイズが表れないように制御して濃度調整ができる。
【００７２】
この状態で、直交画像の濃度値から平行画像の濃度値を引く差分を行うと、図５（ｃ）に示す結果が得られ、閾値を濃度０とすれば、異物とノイズを分離できる。その後、差分結果について、０未満の濃度値をすべて０に置き換える処理を行うと図５（ｄ）に示すようにノイズが消去され、異物が鮮明になった画像が得られる。
【００７３】
第２の形態の変形として、線形濃度変換による濃度調整を行った後、飽和演算処理を付加した差分処理を行えば、図５（ｃ）の状態を経由することなく、直接図５（ｄ）に示す状態とすることができる。これが第３の形態である。
【００７４】
ここで、飽和演算処理とは、画像処理を行うことにより、濃度値が画像のレンジ（８ビットでは０〜２５５）外の値を取るときは、自動的にレンジの最小値または最大値に置き換える処理である。市販の画像処理ソフトウエアでは、画像処理コマンドに飽和演算処理を付加したものが多く、差分演算を行うと、０未満の濃度値はすべて０に置き換えられる。
【００７５】
次に、濃度調整とノイズ低減処理の第４の形態について、図６を用いて説明する。図６（ａ）の生波形と、線形濃度変換を行った図６（ｂ）は、図５（ａ）（ｂ）と同一の図面である。
【００７６】
第４の形態では、全体の差分をとることなく、直交画像の濃度値を直接閾値として適用する。すなわち、平行画像の濃度値が直交画像の濃度値より大きい画素の濃度値を０とし、平行画像の濃度値が直交画像の濃度値以下の画素では、直交画像の濃度値から平行画像の濃度値を引いた差分を濃度値として設定する。
【００７７】
そうすると、図６（ｃ）のようにノイズが消去された結果が得られる。この図は、図５（ｄ）と同一である。しかし、これらの図が示す状態ではノイズが消去されているものの、異物の明度（濃度値）が低いため、明度を上げる処理を行うことが好ましい。濃度値に定数を乗算すると、図６（ｄ）に示すように異物の明度が高くなり、画像をモニタに投影する場合には、目視で判別しやすい。
【００７８】
上述したように、コントラストを増加させる濃度調整を行った直交画像の濃度値に基づいて、平行画像からノイズを消去することができる。その際、閾値で異物とノイズを分離する方法として、２値化する方法と、異物をグレースケール（平行と直交の差分）として残す方法がある。
【００７９】
どちらの方法でも、異物とノイズを分離してノイズを消去することは可能であるが、ノイズが取り切れない場合もあるため、さらにモルフォロジー変換、平滑化処理等の既知のノイズ処理を行ってノイズを消去することができる。この場合、２値化するより、異物をグレースケールで残す処理の方が、残ったノイズを処理しやすい。
【００８０】
上述の処理について図７を用いて説明する。２値化する場合は、残ったノイズの濃度は異物と同じ（第１の形態の場合２５５）となり、図７（ａ）に示すようにサイズも大きい。一方、異物をグレースケールで残す方法では、図７（ｂ）、（ｃ）に示すようにノイズの濃度は低く、高い濃度になるほどサイズは小さくなる。よって、エロージョン（収縮に続き膨張）処理により、容易にノイズを消去できる。
【００８１】
また、異物をグレースケールで残す方法では、図７（ｃ）に示すように各画素の濃度値を定数倍する明度調整を行っても、ノイズが暗いままなので、モニタでも異物を視認しやすい。明度調整にγ＜1であるガンマ補正を適用すると、さらにこの効果は大きくなる。
【００８２】
濃度調整方法は、撮像された画像データの調整に限られない。すなわち、撮像時に受像器２が受光する光量を制御して、画像データに対する濃度調整と同様の効果を得ることが可能である。例えば、直交画像撮像時の光量を平行画像撮像時の光量より増加させれば、検査対象物の厚さの影響を受けるノイズの濃度変化率を増加させて平行画像に近づけることができる。
【００８３】
受像器２が受光する光量を制御する方法としては、光源１の出力を制御する方法と、受像器のシャッタースピードを制御する方法がある。光源１の出力を制御するには、例えば、コントローラ８に光源制御部を設けて、光源のLEDに流す電流値を制御すればよい。シャッタースピードの制御については、例えば、平行画像の撮像前と、直交画像の撮像前に、受像器制御部８３から受像器２にシャッタースピードを切り替えるコマンドを送ることで制御できる。
【００８４】
平行画像と直交画像とで、それぞれの撮像時に流す電流値またはシャッタースピードは、画像データに対する濃度調整で、線形濃度変換の定数を決める場合と同様にあらかじめ実験を行って求めた数値を適用すれば良い。
【００８５】
（可視化画像生成における処理の流れ）
次に、本実施の形態において検査対象物の内部構造を可視化した画像を生成する際の処理の流れについて、図８のフローチャートを用いて説明する。
【００８６】
最初に、偏光子駆動部８２が第２の偏光子５の位置を確認し（ステップＳ１）、右端（平行位置）以外の位置にあるときには、リニアモータ６を右方向に移動させる（ステップＳ２）。
【００８７】
第２の偏光子５が右端にあることを検出するまで右方向への移動を繰り返し（ステップＳ２）、検出した段階でリニアモータ６を停止させる（ステップＳ３）。
【００８８】
次に、受像器制御部８３から受像器２に指令して第１画像（平行画像）を撮像し（ステップＳ４）、第１画像の画像データを画像データ記憶部８４に格納する。（ステップＳ５）
【００８９】
続いて、偏光子駆動部８２が第２の偏光子５の位置を確認する（ステップＳ６）。第２の偏光子５が左端（直交位置）以外の位置にあるので、リニアモータ６を左方向に移動させる（ステップＳ７）。
【００９０】
ステップＳ６において、第２の偏光子５が左端にあることを検出するまでは、ステップＳ７の処理を繰り返し、検出した段階でリニアモータ６を停止する（ステップＳ８）。
【００９１】
次に、受像器制御部８３から受像器２に指令して第２画像（直交画像）を撮像し（ステップＳ９）、続いて第２画像の画像データを画像データ記憶部８４に格納する（ステップＳ１０）。
【００９２】
続いて、画像処理部８５での処理に進み、濃度調整部８６において第２画像（直交画像）の濃度値を調整する(ステップＳ１１)。濃度調整は、第２画像の濃度の変化率（コントラスト）を増加させる処理であれば、上述したいずれの形態を採用しても良い。例えば、第２画像の濃度値に1より大きな定数を乗算する方法を用いても良いが、濃度の平均値を制御できる線形濃度変換を行うことが好ましい。
【００９３】
最後に、ステップＳ１１で濃度調整を行った第２画像の濃度値に基づいて、第１画像のノイズを低減する処理を行う（ステップＳ１２）。
【００９４】
第２画像の濃度値に基づいて、第１画像のノイズを低減する処理として、例えば、差分演算部８７で線形濃度変換後の第２画像と第１画像との差分画像を生成し、ノイズ消去部８８で差分画像に閾値を適用して異物とノイズを切り分け、ノイズが低減して異物が鮮明に写った画像を生成する。なお、ステップＳ１２では、第２画像の濃度値を閾値として、直接第１画像からノイズを低減した画像を取得することもできる。
【００９５】
（実験例１）
次に、本実施の形態にかかる画像生成装置１００を用いて実験を行った結果について説明する。
【００９６】
本実験では、細かく刻んだ梅肉を検査対象物とした。この梅肉は、ペースト状の果肉と繊維質を含む果皮が混在して光学的に不均一な状態である。透明板３の上には、中央部に長方形（18ｍｍ×22ｍｍ）の窓部を設けた黒いゴム板を受像器２の受光軸が窓部中央を通る位置に載置した。
【００９７】
ゴム板の窓部の透明板３上に異物として、アカマダラケシキスイの幼虫、ゴム手袋の破片およびアルミ箔片を載置し、その上に前記梅肉を厚さが５ｍｍとなるように重置した。なお、黒色のゴム板は、光源１から出射され検査体操物を透過せずに受像器２に到達する光を遮蔽するために設けてある。
【００９８】
光源１は、波長が850nmのLED（ROHM製SIR-568ST3F）を１平方cm当り3個の面密度になるように6.５３m×7.6cmの基板上に配置してLEDパネルとし、各LEDに０．１Aの電流を印加し点灯させた。
【００９９】
受像器２には、WATEC製のモノクロCCDカメラ（WAT-910HX）を使用し、TAMRON製のIR（赤外線）対応バリフォーカルレンズ（12VM412ASIR）を取り付け、検査体操物に焦点を合わせた。シャッタースピードは、1msecに固定した。
【０１００】
第１の偏光子４、ならびに第２の偏光子５のy方向偏光部５１およびｘ方向偏光部５２は、すべて旭化成イーマテリアルズ製のワイヤグリッド偏光フィルム（WGF-HTU）を貼付したガラス板とした。
【０１０１】
各部品の位置関係は、光源１と第１の偏光子４の間が５０ｍｍ、第１の偏光子４と透明板３との間が５０ｍｍ、透明板３と第２の偏光子５との間が２５ｍｍ、および第２の偏光子５と受像器２に取り付けたレンズの間が２０ｍｍであり、すべての部品は、下から上に一直線の光路上に配置してある。
【０１０２】
図９（ａ）は、第２の偏光子５を、受像器２がｙ方向偏光部５１を通して受光できる位置にセットして撮像した平行画像（相対角0°）の写真である。一方、図９（ｂ）は、第２の偏光子５を、受像器２がｘ方向偏光部５２を通して受光できる位置にセットして撮像した直交画像（相対角９０°）の写真である。
【０１０３】
図９（ｂ）に示す直交画像の全画素の濃度値を１．４倍する濃度調整を行い、濃度調整後の直交画像の濃度値から図９（ａ）に示す平行画像の濃度値を引いて差分画像を生成した。図９（ｃ）は、この差分画像の全画素の濃度値を5倍にして濃度調整した画像の写真である。
【０１０４】
なお、差分演算実行時に、濃度値が０以下となる場合は、値を０に置き換える処理を行っているので、ノイズを閾値で消去する処理を同時に行っている。以降の差分演算も同様である。
【０１０５】
また、同じ直交画像（図９（ｂ））に対して、線形濃度変換による濃度調整を行い、同様に平行画像（図９（ａ））との差分画像を生成した。なお、線形濃度変換は、元画像の濃度値下限Aを生成画像の濃度値０に、元画像の濃度値上限Bを生成画像の濃度値２５５に対応するように、元画像の濃度値A〜Bの区間の濃度値を線形的に変換する。濃度値下限Aを10、上限Bを150として、線形濃度変換を行った。図９（ｄ）は、この差分画像の全画素の濃度値を10倍にして濃度調整した画像の写真である。
【０１０６】
図９（ｃ）、（ｄ）ともに、平行画像に写っている梅の皮や繊維質の影響によるノイズが大幅に低減された。しかし、定数を乗じる濃度調整を行った写真（図９（ｃ））では左側に梅の皮のノイズが若干残ったが、線形濃度変換を行った写真（図９（ｄ））では消えている。
【０１０７】
（実験例２）
次に、アカマダラケシキスイの幼虫を異物とし、実験例１と同じ梅肉を検査対象として、検査対象物の厚さが変わった場合の効果確認を行った。
【０１０８】
波長850nmのLED（OSRAM,SFH4550）を1平方ｃｍ当り3個の面密度になるように6.５３m×7.6cmの基板上に配置したLEDパネルを光源１とし、各LEDに印加する電流値を０．１Aとし、シャッタースピードを4msecとし、差分演算後の濃度調整を２０倍としたことを除き、実験例１と同様の撮像条件とした。
【０１０９】
図１０（ａ）、（ｂ）に梅肉の厚さ２ｍｍの平行画像と直交画像を、図１０（ｃ）、（ｄ）に厚さ５ｍｍの平行画像と直交画像を示す。また図１１（ａ）、（ｂ）に濃度値下限Ａを２５、上限Ｂを１７０として、線形濃度変換を行い、実験例１と同様の方法により差分画像を生成した結果を示す。図１１（ａ）が２ｍｍ、（ｂ）が５ｍｍの厚さである。
【０１１０】
図１１（ｃ）、（ｄ）に濃度値下限Ａを３０、上限Ｂを１６５として、線形濃度変換を行い、実験例１と同様の方法により差分画像を生成した結果を示す。図１１（ｃ）が２ｍｍ、（ｄ）が５ｍｍの厚さである。いずれも、ほとんどノイズが消え、異物だけが鮮明になっている。
【０１１１】
（比較例１）
比較例として、実験例２と同一の平行画像と、一定の濃度値で全画素を塗りつぶした画像との差分演算を実行した。塗りつぶした画像の濃度値を閾値として、平行画像のこれより高い濃度値を有する画素を一色に塗りつぶすことでノイズを消去するのと同じ効果がある。塗りつぶし画像の濃度値を以下に示す通りとし、濃度変換を行っていないことを除き、実験例２と同様に処理を行った。
【０１１２】
図１２（ａ）、（ｂ）に塗りつぶし画像の濃度値を１５５として生成した差分画像を示す。図１２（ａ）が２ｍｍ、（ｂ）が５ｍｍの厚さである。また図１２（ｃ）、（ｄ）に塗りつぶし画像の濃度値を１６０として生成した差分画像を示す。図１２（ｃ）が２ｍｍ、（ｄ）が５ｍｍの厚さである。
【０１１３】
図１２（ａ）に示すように、塗りつぶし画像の濃度値が１５５の場合は、厚さ２ｍｍでは異物が不鮮明である。これに対し、厚さ５ｍｍでは異物は鮮明であるが、ノイズが若干残る。
【０１１４】
一方、塗りつぶし画像の濃度値が１６０の場合は、厚さ２ｍｍで異物が鮮明になるが、厚さ５ｍｍではノイズが増加する。よって、厚さ２ｍｍと５ｍｍで異物が鮮明で、ノイズが残らない条件は見いだせないことが分かる。この結果より、単に平行画像に閾値を適用する比較例１に対し、直交画像との差分を取る実験例２の有効性が分かる。
【０１１５】
（実験例３）
直交画像の濃度調整に替えて、光源１の光量を電流値を変更することにより、平行画像と直交画像のコントラストを調整して本発明の効果を確認した。電流値を変更したこと、および濃度調整を行わずに演算処理を実施し、差分演算後の濃度調整を１０倍としたことを除き、実験例２と同一条件で撮像し、差分画像を生成した。なお、電流値は、差分画像を確認しながら、平行画像で０．０６Ａ、直交画像で０．１Ａとした。
【０１１６】
図１３（ａ）に平行画像、（ｂ）に直交画像、（ｃ）に差分画像を示す。直交画像に濃度変換を実施したときと同様、ノイズが消え、鮮明な異物の画像が得られた。
【０１１７】
（実験例４）
直交画像の濃度調整に替えて、受像器２の受光量をシャッタースピードを変更することにより、平行画像と直交画像のコントラストを調整して本発明の効果を確認した。シャッタースピードを変更したこと、および濃度調整を行わずに演算処理を実施し、差分演算後の濃度調整を１０倍としたことを除き、実験例２と同一条件で撮像し、差分画像を生成した。なお、シャッタースピードは、差分画像を確認しながら、平行画像で1msec、直交画像で2msecとした。
【０１１８】
図１４（ａ）に平行画像、（ｂ）に直交画像、（ｃ）に差分画像を示す。直交画像に濃度変換を実施したときと同様、ノイズが消え、鮮明な異物の画像が得られた。
【０１１９】
（実験例５）
検査対象を梅肉からいちごジャムに替え、ゴム手袋の破片を異物として本発明の効果を確認した。本実験例では、濃度調整にシャッタースピードの変更と、直交画像に対する線形濃度変換を併用した。ジャムの厚さは４ｍｍとした。シャッタースピードを平行画像で０．０１ｍｓｅｃ、直交画像で０．２ｍｓｅｃとして、受像器２の受光量を調整するとともに、直交画像に対して、下限Ａ４、上限Ｂ２１２とする線形濃度変換を行った。その他の条件は、実験例２と同一である。
【０１２０】
図１５（ａ）に平行画像、（ｂ）に直交画像、（ｃ）に差分画像を示す。差分画像では、平行画像にある繊維質によるノイズは消えているが、いちごの種が異物とともに鮮明に写っている。しかし、種は小さいため、後にモルフォロジー変換、平滑化処理等のノイズ処理で、異物のみを残した画像を取得可能である。また、種に着目すれば、異物検査以外に、種の有無や分散状況を確認するためにも、本発明を適用し得る。
【０１２１】
（実験例６）
検査対象を梅肉から梅果肉入りゼリーに替え、ゴム手袋の破片を異物として本発明の効果を確認した。本実験例では、濃度調整にシャッタースピードの変更と、直交画像に対する線形濃度変換を併用した。ゼリーの厚さは４ｍｍとした。シャッタースピードを平行画像で０．１ｍｓｅｃ、直交画像で０．５ｍｓｅｃとして、受像器２の受光量を調整するとともに、直交画像に対して、下限Ａ８、上限Ｂ１７３とする線形濃度変換を行った。その他の条件は、実験例２と同一である。
【０１２２】
図１６（ａ）に平行画像、（ｂ）に直交画像、（ｃ）に差分画像を示す。差分画像では、平行画像にある繊維質によるノイズが消え、鮮明な異物の画像が得られた。
【０１２３】
（実験例７）
検査対象を梅肉から白菜キムチに替え、ゴム手袋の破片を異物として本発明の効果を確認した。白菜キムチの厚さは４ｍｍとした。シャッタースピードを０．５ｍｓｅｃとして、受像器２の受光量を調整するとともに、直交画像に対して、下限Ａ１３、上限Ｂ１９６とする線形濃度変換を行った。また、差分演算後の濃度調整を２０倍とした。その他の条件は、実験例２と同一である。
【０１２４】
図１７（ａ）に平行画像、（ｂ）に直交画像、（ｃ）に差分画像を示す。ノイズが消え、鮮明な異物の画像が得られた。
【０１２５】
（実験例８）
検査対象を、工業製品の一種であるポリエステル織物に替え、ゴム片を異物として本発明の効果を確認した。ポリエステル織物の厚さは１ｍｍで、生地を２枚重ねたものである。シャッタースピードを１ｍｓｅｃとして、受像器２の受光量を調整するとともに、直交画像に対して、下限Ａ３、上限Ｂ２２５とする線形濃度変換を行った。また、差分演算後の濃度調整を２０倍とした。その他の条件は、実験例２と同一である。
【０１２６】
図１８（ａ）に平行画像、（ｂ）に直交画像、（ｃ）に差分画像を示す。異物であるゴム片の鮮明な画像が得られた。
【０１２７】
（実験例９）
検査対象を、工業製品の一種であるウレタンベルトに替え、ゴム片を異物として本発明の効果を確認した。ウレタンベルトの厚さは３ｍｍである。シャッタースピードを０．２ｍｓｅｃとして、受像器２の受光量を調整するとともに、直交画像に対して、下限Ａ１３、上限Ｂ１０６とする線形濃度変換を行った。また、差分演算後の濃度調整を２０倍とした。その他の条件は、実験例２と同一である。
【０１２８】
図１９（ａ）に平行画像、（ｂ）に直交画像、（ｃ）に差分画像を示す。実験例８と同様に、異物であるゴム片の鮮明な画像が得られた。
【０１２９】
（実験例１０）
検査対象を、工業製品の一種であるポリプロピレン成形品に替え、ゴム片を異物として本発明の効果を確認した。ポリプロピレン成形品の厚さは２ｍｍである。シャッタースピードを４ｍｓｅｃとして、受像器２の受光量を調整するとともに、直交画像に対して、下限Ａ８、上限Ｂ２１８とする線形濃度変換を行った。また、差分演算後の濃度調整を２０倍とした。その他の条件は、実験例２と同一である。
【０１３０】
図２０（ａ）に平行画像、（ｂ）に直交画像、（ｃ）に差分画像を示す。異物であるゴム片の鮮明な画像が得られた。
【０１３１】
（実験例１１）
検査対象を、工業製品の一種である金属メッシュフィルターに替え、ゴム片を異物として本発明の効果を確認した。金属メッシュフィルターは周囲を金属製のリングで支持したもので、フィルターの厚さは１ｍｍである。シャッタースピードを４ｍｓｅｃとして、受像器２の受光量を調整するとともに、直交画像に対して、下限Ａ１３、上限Ｂ７４とする線形濃度変換を行った。また、差分演算後の濃度調整を２０倍とした。その他の条件は、実験例２と同一である。
【０１３２】
図２１（ａ）に平行画像、（ｂ）に直交画像、（ｃ）に差分画像を示す。異物であるゴム片の鮮明な画像が得られた。
【０１３３】
（実験例１２）
検査対象を市販飲料（サントリー食品インターナショナル社製緑茶）のPETボトルから取り外したラベルフィルムとし、ゴム片を異物としてラベルフィルムの下に挿入し、本発明の効果を確認した。シャッタースピードを０．２ｍｓｅｃとして、受像器２の受光量を調整するとともに、直交画像に対して、下限Ａ８、上限Ｂ９４とする線形濃度変換を行った。また、差分演算後の濃度調整を２０倍とした。その他の条件は、実験例２と同一である。
【０１３４】
図２２（ａ）に平行画像、（ｂ）に直交画像、（ｃ）に差分画像を示す。異物であるゴム片の鮮明な画像が得られた。
【０１３５】
この場合、光学的不均一性はラベルフィルタに印刷された模様（文字を含む）である。この模様は、濃度に差があるが偏光画像と直交画像の双方に現れている。一方、異物の影は平行画像のみに現れている。従って、直行画像に対して濃度調整を行った後に差分画像を生成することにより、模様が消去され異物のみが鮮明な画像を得ることができた。
【０１３６】
平行画像と直交画像との双方に現れるノイズは、上述した梅肉を検査対象物とした場合には、検査対象物の厚さの影響であった。本実験例では、印刷された模様等も平行画像と直交画像の双方に現れ、適切な濃度調整と、差分画像を生成することにより、ノイズを消去できることがわかった。
【０１３７】
（実験例１３）
実験例２の光源１を近赤外線から可視光線に替えて本発明の効果を確認した。光源を白色ＬＥＤ（モノタロウ２４ＬＥＤ丸形ライト）とした。また、シャッタースピードを３３３ｍｓｅｃとし、濃度調整の条件は、線形濃度変換（下限Ａを１０、上限Ｂを１９１）とした。また、梅肉の厚さを４ｍｍとし、その他の条件は、実験例２と同一とした。
【０１３８】
図２３（ａ）に平行画像、（ｂ）に直交画像、（ｃ）に差分画像を示す。光源を近赤外線としたときと同様、ノイズが消え、鮮明な異物の画像が得られた。
【０１３９】
上述したように本発明にかかる画像生成装置では、第１画像に異物の影と検査対象物の光学的不均一性によるノイズが比較的鮮明に写る。一方、第２画像には、異物の影と検査対象物の光学的不均一性によるノイズは見た目には不鮮明であるが、第1画像に含まれるノイズと同じ原因によるノイズ成分（以下「共通ノイズ」という。）が含まれていると考えられる。
【０１４０】
したがって、第２画像の濃度値を利用すれば、第１画像から共通ノイズをキャンセルして、ノイズを低減した画像が得られる。この画像に対して異物判定を行うことで、誤判定を防ぐことができる。
【０１４１】
さらに、第２画像の濃度コントラストを増大、および／または第1画像のコントラストを低下させる濃度調整を行う濃度調整手段を有するので、第1画像と第2画像に含まれる共通ノイズによる濃度の変化率を近似させることができる。
【０１４２】
よって、濃度調整後に第１画像と第２画像の差分を取れば、第１画像に含まれる共通ノイズをキャンセルでき、異物とノイズ成分を判別しやすい差分画像データを生成できる。その結果、ノイズ成分を消去または低減した画像データには異物だけが鮮明に表れるため、精度よく異物の有無を判定でき、異物が存在する場合には、その位置を特定できる。
【０１４３】
＜実施の形態２＞
図２４に、本発明の実施の形態２にかかる画像生成装置１００の基本的な構成を示す。図中、図１の部材と同一の部材には同一の符号を付して説明を省略する。またコントローラについては、偏光子駆動部８２の制御対象がステッピングモータ９であることを除いて、図２に示したコントローラ８と変わりがない。
【０１４４】
本実施の形態では、図１に示した実施の形態１の第２の偏光子５を構成するｙ方向偏光子５１、ｘ方向偏光子５２、フレーム５３、リニアモータ６およびレール７に替えて、円形偏光子５４、プーリ付フレーム５５、ステッピングモータ９、サポート板１０、モータプーリ１１およびプーリベルト１２を用いる。
【０１４５】
プーリ付フレーム５５は、サポート板１０の穴部に回転自在に係合され、サポート板１０から脱落しないように上部と下部にフランジが設けられている。円形偏光子５４は、プーリ付フレーム５５に外周で固定されており、プーリ付フレーム５５が回転するとともに回転し、透過軸の方向を変えることができるようになっている。
【０１４６】
また、サポート板１０には、ステッピングモータ９のケースが固定されており、ステッピングモータ９の回転軸には、モータプーリ１１が取り付けられている。プーリ付フレーム５５は、外周にプーリ溝が設けられており、モータプーリ１１とプーリベルト１２で係合され、ステッピングモータ９からの動力が伝達されるようになっている。
【０１４７】
よって、ステッピングモータ９の回転を制御すれば、円形偏光子５４を回転させることができ、第１の偏光子４の透過軸と第２の偏光子５の透過軸との相対角を変更することができる。
【０１４８】
図２４に示す構成を採用することにより、偏光方向制御における機械的動作を搖動から回転運動に替えることができるため、振動の低減が可能である。また、円形偏光子は、１８０°回転するごとに相対角が０°から９０°まで変化するため、一方向の回転で、平行画像と直交画像の撮像が可能になる。
【０１４９】
（実験例１４）
本実施の形態にかかる画像生成装置を用いて実験を行った結果を説明する。実施の形態１では、第１の偏光子と第２の偏光子との相対角が０°のときに撮像した画像を平行画像、９０°のときに撮像した画像を直交画像として扱ったが、平行画像の相対角が直交画像の相対角より小さければ、これに限らず本発明の効果を奏することができる。そこで、本発明の範囲を明確にするために、平行画像と直交画像の相対角の有効範囲を調べた。
【０１５０】
図２５に、第１の偏光子４と第２の偏光子５との相対角を１０°ごとに変更して撮像した写真を示す。撮像条件は前述の実験例２と同一とし、梅肉の厚さは５ｍｍとした。図２６は、図２５の画像を組み合わせて生成した差分画像である。これまでと同様、差分演算時には、０以下となる濃度値を０に置き換えた。線形濃度変換の下限値Ａと上限値Ｂは、それぞれの写真の上部に記載した通りである。
【０１５１】
図２６の上段の写真は、平行画像と直交画像をともに相対角を１０°ずつ変更したときの差分画像である。平行画像の相対角２０°、直交画像の相対角７０°の組み合わせでも、ノイズが消去され異物が鮮明になる差分画像が得られた。また、平行画像の相対角３０°、直交画像の相対角６０°の組み合わせでは、異物の鮮明度が若干低下するが、後の画像認識には十分使用できる鮮明度を有している。
【０１５２】
図２６の中段に示すように、直交画像の相対角を９０°で固定した場合は、平行画像の相対角を５０°としても、ノイズがなく鮮明な異物の画像が得られる。この場合、画像認識で使用可能な平行画像の相対角の上限は７０°となる。
【０１５３】
図２６の下段に示すように、平行画像の相対角を０°で固定した場合は、直交画像の相対角を７０°としても、ノイズがなく鮮明な異物の画像が得られる。この場合、画像認識で使用可能な直交画像の相対角の下限は５０°となる。
【０１５４】
（比較例２）
図２７は、実験例１４と同様に平行画像と直交画像の相対角の範囲を調べた結果、本発明の効果を奏しない範囲の差分画像である。平行画像と直交画像の相対角の差が２０°を下回るとノイズが消去できず、異物も視認できない。また、直交画像の相対角が５０°を下回った場合も同様である。
【０１５５】
以上の結果から、平行画像の相対角は７０°以下、直交画像の相対角は５０°以上であり、かつ直交画像の相対角は、平行画像の相対角に対して２０°以上大きくなければならない。好ましくは、平行画像の相対角を５０°以下、直交画像の相対角を７０°以上、かつ直交画像の相対角を平行画像の相対角に対して５０°以上大きくすると、ノイズを消去しつつ、より異物が鮮明な画像が得られるため、後の画像認識の精度が向上する。
【０１５６】
＜実施の形態３＞
実施の形態１および２は、いずれも直線偏光を利用するものであるが、本発明にかかる画像生成装置では、円偏光を利用することもできる。本実施の形態では、実施の形態１の第１の偏光子４と第２の偏光子５を円偏光板で構成している。
【０１５７】
第１の偏光子４は、光を右回りの円偏光に変換する。第２の偏光子５は、図示しないが、ｙ方向偏光部５１が、右回りの円偏光を直線偏光に変換して透過させる右回転透過部に替わり、ｘ方向偏光部５２が、左回りの円偏光を直線偏光に変換して透過させる左回転透過部に替わっている。
【０１５８】
そして偏光方向制御手段が、右回転透過部を通して検査対象物からの光を受光できる正転透過位置と、左回転透過部を通して受光できる逆転透過位置とを切り替える。さらに、受像器２により、正転透過位置における第１画像と逆転透過位置における第２画像とを撮像し、画像データを画像データ記憶部８４に格納する。
【０１５９】
第１画像は、実施の形態１における平行画像と同様に、異物やノイズの影が鮮明な画像となる。また、第２画像は、直交画像と同様に異物やノイズの影が不鮮明な画像となる。
【０１６０】
実施の形態１と同様に、濃度調整手段による濃度調整および差分画像を取得して、閾値によりノイズを消去すれば、精度よく異物を検知することができる。
【０１６１】
（実験例１５）
本実施の形態にかかる画像生成装置を用いて実験を行った結果を説明する。前述の実験例１３の偏光子を円偏光板に替えて効果を確認した。第１の偏光子４を左回りの円偏光子（株式会社美舘イメージング製ＴＣＰＬ）とし、第1画像用の第２の偏光子５には、同じく左回りの円偏光板を用い、検査対象である梅肉を設置しない状態で第１の偏光子４を透過した光を受像器２が受光できるように配置した。
【０１６２】
また、第２画像用の第２の偏光子５には、右回りの円偏光板（株式会社美舘イメージング製ＴＣＰＲ）を用いて、検査対象である梅肉を設置しない状態で第１の偏光子４を透過した光を受像器が受光できないように配置した。その他の条件は、実験例８と同一である。なお、濃度調整は第２画像に対して線形濃度変換（下限Ａを２０、上限Ｂを２１６）を行い、差分演算では第２画像の濃度値から第１画像の濃度値を差し引いた。
【０１６３】
図２８（ａ）に第１画像、（ｂ）に第２画像、（ｃ）に差分画像を示す。図２３に示す実験例１３の直線偏光と比較すると効果は低下するが、円偏光であっても、ノイズを低減して異物を鮮明化する効果を有する。
【０１６４】
実施の形態１〜３で説明した本発明にかかる画像生成装置は、農産物、農産物加工品その他の食品や、ポリエステル織物、ウレタンベルト、ポリプリピレン成形品、金属メッシュ等の工業製品を検査対象とすることができる。また、これに限らず、検査対象物が光学的に不均一な特性を有するものであれば、一定条件下、この不均一性に基づくノイズを低減する本発明の効果を奏する。
【０１６５】
例えば、印刷された模様を有するフィルムに包まれたPETボトルを検査対象物とすることができる。この場合には、光学的不均一性に基づくノイズである印刷された模様が、本発明の効果により消去された画像が得られる。
【０１６６】
また、これまでの説明では、検知対象を異物とした場合の実施形態を用いたが、これに限らず、例えば、FRPの強化繊維を検知対象として、その分散具合を可視化することにも用いることができる。
【０１６７】
目的とする検査対象物が、本発明にかかる画像生成装置を適用できるか否かについて、簡単に確認するためには、検査対象物の最下層（光源側）に異物を仕込んで平行画像と直交画像を撮像すれば良い。平行画像で検知対象の部分の濃度が低下し、直交画像で異物の部分の濃度低下がないか、平行画像と比較して濃度の落ち込みがはっきりしないようであれば、本発明にかかる画像生成装置を適用できる。
【０１６８】
検査対象物の厚さの最大値は、検査対象物の透明度、検査光の波長や、検出する異物の種類および大きさ等の条件によって異なるため、上述した簡単な確認により、予め効果を確認して定めればよい。
【０１６９】
なお、上述の実施の形態における偏光方向制御手段は、いずれも機械制御であるため、偏光方向の切り替えに時間を要する。代替手段として、電気式の偏光方向制御手段を採用することもできる。すなわち、出射側の偏光板を削除した液晶パネルを第１の偏光子として電圧制御することにより、直線偏光の偏光方向を９０°変えられる。この場合、第２の偏光子は固定のままで使用できる。
【０１７０】
ちなみに、TN型液晶パネルは、液晶セルの入射側に偏光板が貼られており、入射光を直線偏光にする。液晶セルには、互いに直交した溝を有する配向膜が２枚上下に配置されている。その間に挟持された液晶分子は、配向膜間で９０°ねじれて配向する。従って、偏光板を通過した偏光は、配向膜間を通過する間に、液晶分子の配向のねじれに沿って、９０°偏光方向が変えられる。
【０１７１】
ここで、配向膜間に電圧をかけると、液晶分子は、配向膜の法線方向に並び方を変えるので、偏光板で偏光された方向を維持したまま出射する。液晶パネルでは、通常、液晶セルの出射側にも偏光板が貼り合わされており、上述した偏光方向の制御で、偏光の透過と遮断を制御できる構造となっている。
【０１７２】
本発明では、偏光方向を制御することが目的であるので、出射側の偏光板を削除した液晶パネルを用いる。偏光方向の制御に機構部は不要であり、迅速な制御が可能であるため、検査速度の向上に資する。
【０１７３】
また、検査対象物を載置する透明板を透明なコンベアベルトに変えれば、コンベア上で連続的に検査が可能である。機械的な偏光方向制御手段を用いる場合でも、透明なコンベアベルトを使用してコンベア上で検査を行えば、検査速度の向上は可能である。
【０１７４】
例えば、実施の形態１では、偏光方向制御に、第２の偏光子５を並進運動させるため、コンベアの運動を間欠式にして、コンベアの停止中に平行画像と直交画像を撮像しなければ、画像データの処理で、画像の位置修正が必要になる。しかし、実施の形態２では、第２の偏光子は回転式であるため、一定速度で回転中に撮像すれば、両画像の撮像間隔は短くでき、コンベアを停止させなくても、画像間の位置ずれは大きくならない。よって、画像の位置修正なしで画像処理が行える。
【０１７５】
また、第１の偏光子４の透過軸と第２の偏光子５の透過軸との相対角について、平行画像では０°、直交画像では９０°と説明してきたが、直交画像の相対角が平行画像の相対角よりも大きければ、一定条件下で本発明の効果を奏する。
【０１７６】
すなわち、平行画像の相対角が７０°以下、直交画像の相対角が５０°以上、かつ直交画像の相対角が平行画像の相対角に対して２０°以上大きければ、ノイズを低減して、異物が写った画像が得られる。
【０１７７】
好ましくは、平行画像の相対角を５０°以下、直交画像の相対角を７０°以上、かつ直交画像の相対角を平行画像の相対角に対して５０°以上大きくすれば、ノイズを消去しつつより鮮明な異物の写った画像が得られる。
【符号の説明】
【０１７８】
１  光源
２  受像器
３  透明板
４、５  偏光子
６  リニアモータ
７  レール
８  コントローラ
９  ステッピングモータ
１０  サポート板
１１  モータプーリ
１２  プーリベルト
５１  ｙ方向偏光部
５２  ｘ方向偏光部
５３、５５  フレーム
５４  円形偏光子
５５  プーリ付フレーム
８１  主制御部
８２  偏光子駆動部
８３  受像器制御部
８４  画像データ記憶部
８５  画像処理部
８６  濃度調整部
８７  差分演算部
８８  ノイズ消去部
１００  画像生成装置
【図１】
0006451980.tif 000002
【図２】
0006451980.tif 000003
【図３】
0006451980.tif 000004
【図４】
0006451980.tif 000005
【図５】
0006451980.tif 000006
【図６】
0006451980.tif 000007
【図７】
0006451980.tif 000008
【図８】
0006451980.tif 000009
【図９】
0006451980.tif 000010
【図１０】
0006451980.tif 000011
【図１１】
0006451980.tif 000012
【図１２】
0006451980.tif 000013
【図１３】
0006451980.tif 000014
【図１４】
0006451980.tif 000015
【図１５】
0006451980.tif 000016
【図１６】
0006451980.tif 000017
【図１７】
0006451980.tif 000018
【図１８】
0006451980.tif 000019
【図１９】
0006451980.tif 000020
【図２０】
0006451980.tif 000021
【図２１】
0006451980.tif 000022
【図２２】
0006451980.tif 000023
【図２３】
0006451980.tif 000024
【図２４】
0006451980.tif 000025
【図２５】
0006451980.tif 000026
【図２６】
0006451980.tif 000027
【図２７】
0006451980.tif 000028
【図２８】
0006451980.tif 000029